(57)【要約】【課題】現場での施工が容易で、断熱・気密ラインの連続性を確保しやすく、長期的にも建物の劣化を生じにくい外断熱方式の壁構造及び壁工法と、かかる壁構造・壁工法に好適に利用できる壁断熱パネルを提供する。【解決手段】本発明の外断熱壁構造は、軸組部材２の表面に気密テープ４が貼着され、枠材１１の内側に断熱材１２が充填されて裏面に気密フィルムが貼着された壁断熱パネル１が、前記軸組部材２の屋外側に密着状態で建て込まれ、壁断熱パネル１の縦目地部分に配した壁断熱パネル取付金具５によって各壁断熱パネル１が軸組部材２に固定され、壁断熱パネル１の縦目地部分に断熱充填材が充填され、壁断熱パネルの縦目地部分に固定した外壁パネル取付金具を介して外壁パネルが取り付けられるものである。【選択図】図１
2004092125.tif 000002
【特許請求の範囲】
【請求項１】
柱、梁、胴縁その他の軸組部材の屋外側表面に気密テープが貼着され、四周を構成する枠材の内側に断熱材が充填されて屋内側全面に気密フィルムが貼着されてなる壁断熱パネルが、前記軸組部材の屋外側に密着状態で建て込まれ、前記壁断熱パネルの縦目地部分に配した壁断熱パネル取付金具によって各壁断熱パネルが前記軸組部材に固定され、前記壁断熱パネルの縦目地部分に断熱充填材が充填され、前記壁断熱パネルの縦目地部分に固定した外壁パネル取付金具を介して壁断熱パネルの屋外側に外壁パネルが取り付けられたことを特徴とする外断熱壁構造。
【請求項２】
壁断熱パネルは、四周を構成する枠材と、前記枠材で囲まれた枠内に充填された断熱材と、前記枠材及び断熱材の屋内側全面に貼着された気密フィルムとを備え、前記枠材のうち縦辺に位置する縦枠材は、屋内側縁部に外方への張出縁を備えた略Ｌ字形の断面形状を有し、
この壁断熱パネル同士が左右方向に突き合わされた縦目地部分に壁断熱パネル取付金具が取り付けられるとともに、
前記縦目地部分を挟んで相対する縦枠材によって形成された溝部に断熱充填材が充填されたことを特徴とする請求項１に記載の外断熱壁構造。
【請求項３】
壁断熱パネル取付金具は、軸組部材に固定される基部と、基部に固着された基板と、締付ビス及びコイルスプリングを介して基板上に取り付けられた２枚の押え板を備え、前記押え板は、基部の軸線に沿う位置から、軸線に直交する位置まで約９０度の角度範囲を回動するように保持され、
前記基部が壁断熱パネルの縦目地部分に挟み込まれた状態で軸組部材に固定されるとともに、前記押え板が壁断熱パネルの張出縁を軸組部材側に押圧して壁断熱パネルを固定するように構成されたことを特徴とする請求項２に記載の外断熱壁構造。
【請求項４】
気密テープは、独立発泡樹脂製の帯状体、または少なくとも一面に気密性のフェイス層を備えた連続発泡樹脂製の帯状体を２ｍｍ以上の厚みに形成したものであることを特徴とする請求項１、２または３に記載の外断熱壁構造。
【請求項５】
柱、梁、胴縁その他の軸組部材の屋外側表面に気密テープを貼着し、
次いで、四周を構成する枠材の内側に予め断熱材を充填して屋内側全面に気密フィルムを貼着してなる壁断熱パネルを、前記軸組部材の屋外側に密着させて建て込み、
次いで、前記壁断熱パネルの目地部分に配した壁断熱パネル取付金具によって、各壁断熱パネルを前記軸組部材に固定し、
次いで、前記壁断熱パネルの目地部分に断熱充填材を充填し、
次いで、前記壁断熱パネルの目地部分に固定した外壁パネル取付金具を介して外壁パネルを取り付けることを特徴とする外断熱壁工法。
【請求項６】
四周を構成する枠材と、前記枠材で囲まれた枠内に充填された断熱材と、前記枠材及び断熱材の屋内側全面に貼着された気密フィルムとを備え、前記枠材のうち縦辺に位置する縦枠材は、屋内側縁部に外方への張出縁を備えた略Ｌ字形の断面形状に形成されたことを特徴とする壁断熱パネル。
【発明の詳細な説明】
【０００１】
【発明の属する技術分野】
本発明は、特に木造系や鉄骨系の建物において構造体の屋外側に断熱・気密ラインを形成する外断熱方式の壁構造及び壁工法と、該構造・工法に適した壁断熱パネルに関する。
【０００２】
【従来の技術】
資源・エネルギーの有効活用や建物の長寿命化の観点から、近年では、建物の気密性や断熱性を向上させる研究が積極的に重ねられている。かかる高気密・高断熱型の建築工法は、一般に、構造体の屋内側に断熱材と気密材（気密フィルム等）からなる断熱・気密ラインを設ける内断熱工法と、構造体の屋外側に断熱・気密ラインを設ける外断熱工法とに大別される。わが国では従来、内断熱工法が主流をなしてきたが、断熱材のつなぎ目やコンセント周りなどに断熱・気密ラインの隙間（不連続部）ができ、壁面や壁の内部に結露が生じやすくなって、カビやダニが発生し、建物が劣化しやすくなるという問題が指摘されていた。
【０００３】
これに対して外断熱工法は、内断熱工法に比べて断熱・気密ラインの連続性を確保しやすい。構造体は断熱材の屋内側に位置しているので、外気の温湿度変化の影響を受けにくく、内部結露が生じにくくなって、建物の耐久性が向上するという長所を有している。
【０００４】
かかる外断熱工法を木造軸組建物に適用する場合、従来、一般的には、図８に示すように、躯体の柱９１，９２や梁の屋外側に断熱材９３を釘９４やビスで取り付けている。断熱材９３同士の継ぎ目は合决りとし、目地部分や他部材との取り合い部分には気密テープ９５を貼着したり、発泡ウレタン等を現場で充填するなどして、断熱・気密ラインを連続させる。続いて、断熱材９３の屋外側に透湿性防水シート９６を貼着し、柱９１，９２や梁に対して胴縁９７等を釘９４やビスで取り付け、この胴縁９７等に外壁仕上材９８を取り付けている。
【０００５】
【発明が解決しようとする課題】
前記従来の工法は、構造体に対して、屋外側から、断熱材９３を隙間なく繋ぎ合わせつつ取り付け、さらに透湿性防水シート９６や胴縁９７、外壁仕上材９８等を順次取り付けるとういう工程で行われるので、現場で取り扱う部材が多く、施工上の煩雑さや困難さを伴う。そのため、施工者の技量次第で施工精度が低下して断熱性能がばらつく可能性が大きい。特に、断熱材９３同士の継ぎ目や他部材との取り合い部分においては、気密テープ９５の皺や発泡ウレタンの充填不良によって断熱・気密ラインの欠損が生じやすい。また、経年による断熱材９３の収縮や気密テープ９５の剥離も生じる。このような断熱・気密ラインの欠損は、漏湿気による結露を招いて建物の劣化を促進することになる。
【０００６】
また、断熱材９３や胴縁９７等を柱９１，９２や梁に対して取り付けるときに、数十ｍｍ以上の厚さを有する断熱材９３を貫通して釘９４やビスを打つことになる。このとき、作業する側からは柱９１，９２や梁が見えないので、釘９４やビスが柱９１，９２や梁から外れてしまう場合がある。すると、外れて貫通した釘９４等が冷橋となり、屋内側に露出した釘９４等の表面に屋内側の湿気が結露して、カビの発生や金属部の発錆を招くことになる。
【０００７】
さらに、前記従来のような工法では、増改築等に際して外壁の取外しを行う場合、釘９４等を抜き取るときに断熱材９３が壊れやすいので、廃材の分別回収やリサイクルの面でも問題がある。
【０００８】
そこで本発明は、現場での施工が容易で、断熱・気密ラインの連続性を確保しやすく、長期的にも建物の劣化を生じにくい外断熱方式の壁構造及び壁工法と、かかる壁構造・壁工法に好適に利用できる壁断熱パネルを提供することを解決課題とする。
【０００９】
【課題を解決するための手段】
前記課題を解決するため、本発明の外断熱壁構造は、柱、梁、胴縁その他の軸組部材の屋外側表面に気密テープが貼着され、四周を構成する枠材の内側に断熱材が充填されて屋内側全面に気密フィルムが貼着されてなる壁断熱パネルが、前記軸組部材の屋外側に密着状態で建て込まれ、前記壁断熱パネルの縦目地部分に配した壁断熱パネル取付金具によって各壁断熱パネルが前記軸組部材に固定され、前記壁断熱パネルの縦目地部分に断熱充填材が充填され、前記壁断熱パネルの縦目地部分に固定した外壁パネル取付金具を介して壁断熱パネルの屋外側に外壁パネルが取り付けられたことを特徴とする。
【００１０】
さらに、この外断熱壁構造において、前記壁断熱パネルは、四周を構成する枠材と、前記枠材で囲まれた枠内に充填された断熱材と、前記枠材及び断熱材の屋内側全面に貼着された気密フィルムとを備え、前記枠材のうち縦辺に位置する縦枠材は、屋内側縁部に外方への張出縁を備えた略Ｌ字形の断面形状を有し、この壁断熱パネル同士が左右方向に突き合わされた縦目地部分に壁断熱パネル取付金具が取り付けられるとともに、前記縦目地部分を挟んで相対する縦枠材によって形成された溝部に断熱充填材が充填されたことを特徴とする。
【００１１】
さらに、この外断熱壁構造において、前記壁断熱パネル取付金具は、軸組部材に固定される基部と、基部に固着された基板と、締付ビス及びコイルスプリングを介して基板上に取り付けられた２枚の押え板を備え、前記押え板は、基部の軸線に沿う位置から、軸線に直交する位置まで約９０度の角度範囲を回動するように保持され、前記基部が壁断熱パネルの縦目地部分に挟み込まれた状態で軸組部材に固定されるとともに、前記押え板が壁断熱パネルの張出縁を軸組部材側に押圧して壁断熱パネルを固定するように構成されたことを特徴とする。
【００１２】
さらに、この外断熱壁構造において、前記気密テープは、独立発泡樹脂製の帯状体、または少なくとも一面に気密性のフェイス層を備えた連続発泡樹脂製の帯状体を２ｍｍ以上の厚みに形成したものであることを特徴とする。
【００１３】
また、本発明の外断熱壁工法は、柱、梁、胴縁その他の軸組部材の屋外側表面に気密テープを貼着し、次いで、四周を構成する枠材の内側に予め断熱材を充填して屋内側全面に気密フィルムを貼着してなる壁断熱パネルを、前記軸組部材の屋外側に密着させて建て込み、次いで、前記壁断熱パネルの目地部分に配した壁断熱パネル取付金具によって、各壁断熱パネルを前記軸組部材に固定し、次いで、前記壁断熱パネルの目地部分に断熱充填材を充填し、次いで、前記壁断熱パネルの目地部分に固定した外壁パネル取付金具を介して外壁パネルを取り付けることを特徴とする。
【００１４】
また、本発明の壁断熱パネルは、四周を構成する枠材と、前記枠材で囲まれた枠内に充填された断熱材と、前記枠材及び断熱材の屋内側全面に貼着された気密フィルムとを備え、前記枠材のうち縦辺に位置する縦枠材は、屋内側縁部に外方への張出縁を備えた略Ｌ字形の断面形状に形成されたことを特徴とする。
【００１５】
【発明の実施の形態】
以下、本発明の実施の形態について、図面を参照しつつ説明する。
【００１６】
図１は、本発明の外断熱壁構造及び壁工法に使用される壁断熱パネルの基本的な構成を示す分解斜視図である。また、図２〜図３は、本発明の外断熱壁構造及び壁工法の基本的構成を示す部分斜視図であり、図４は、図２〜図３に示した外断熱壁構造における壁断熱パネルの縦目地部分の詳細を示す部分断面図である。
【００１７】
本発明の壁断熱パネル１は、四周を構成する枠材１１と、それらの枠材１１で囲まれた枠内に充填された断熱材１２と、枠材１１及び断熱材１２の裏面（屋内側）全面に貼着された気密フィルム１３とを備えている。この壁断熱パネル１が、図２に示すように、建物の柱、間柱、梁、胴縁等からなる軸組部材２の屋外側に複数枚、隣接して建て込まれることにより、軸組部材２の屋外側に気密・断熱ラインが形成される。
【００１８】
例示の形態にかかる壁断熱パネル１の枠材１１は、見込み寸法が約１００ｍｍ　程度の木質材で、その縦辺に位置する縦枠材１１ａは、図４に示すように、屋内側縁部部に外方への張出縁１１１を備えた略Ｌ字形の断面形状に形成されている。また、上辺に位置する上枠材１１ｂは略台形状の断面形状を有し、その上面が、母屋材等からなる屋根架構３の上面と面一に揃うように形成されている。
【００１９】
断熱材１２は、例えば硬質ウレタン等の発泡樹脂や、グラスウールその他の一般的な断熱材料を利用して形成される。断熱材１２の厚さは、この例では約７５ｍｍであるが、枠材１１の見込み寸法内に納まる範囲で、所要の断熱性能に合わせて任意に設定される。また、気密フィルム１３には、例えば０．１ｍｍ　程度の厚さのポリプロピレンフィルム等が使用される。
【００２０】
例示した建物は、柱、桁、間柱、胴縁等の軸組部材２が軽量鉄骨材からなるものである。本発明の外断熱壁構造及び壁工法では、壁断熱パネル１の建て込みに先立って、軸組部材２の屋外側表面に気密テープ４が貼着される。この気密テープ４は、例えば発泡ポリエチレンや発泡ウレタン、発泡ポリスチレンなどの発泡樹脂、あるいは発泡ＥＰＤＭ（エチレン・プロピレン・ジエン３元共重合体）などの合成ゴムからなるもので、厚さが少なくとも２ｍｍ以上、好ましくは３ｍｍ程度の帯状体に形成されている。かかる発泡体としては気泡が個々に独立したもの（独立発泡体）が好ましいが、連続気泡を有する材料（連続発泡体）の少なくとも一面に気密性のフェイス層を設けたものも利用可能である。この気密テープ４を軸組部材２の表面に貼着して壁断熱パネル１を密着させることにより、軸組部材２の表面や壁断熱パネル１の裏面（屋内側表面）に現れる微小な不陸が吸収されて、精度の高い断熱・気密ラインが形成されることになる。
【００２１】
断熱壁パネルを軸組部材２に取り付けるに際しては、例えば図５に示すような壁断熱パネル取付金具５が使用される。例示の壁断熱パネル取付金具５は、２本のリップ付溝形鋼を背中合せにして構成された間柱２１に取り付けられる形態を有している。
【００２２】
この壁断熱パネル取付金具５は、上面に開口溝を有する略矩形断面の基部５１に基板５２が固着され、この基板５２の上に、締付ビス５３及びコイルスプリング５４を介して、２枚の押え板５５，５５が回動自在に取り付けられた構成を備えている。締付ビス５３の頭部は指先で回すことができるようにローレット状に加工されるとともに、頭部の頂面にはレンチ締結用の六角孔が形成されている。また、締付ビス５３の脚部は基板５２に形成された雌ネジ孔に螺合されている。各押え板５５は、コイルスプリング５４の弾発力によって締付ビス５３の頭部側に保持され、基部５１の軸線に沿う位置から軸線に直交する位置まで、互いに反対向きに約９０度の角度範囲を回動する。押え板５５の先端部は、斜め下向きに湾曲形成されている。基板５２の側縁部には上方に延出する一対のストッパー５６，５６が形成されて、これらのストッパー５６が各押え板５５をそれぞれ軸線に直交する位置で止めるようになっている。基部５１の高さは壁断熱パネル１の縦枠材１１ａにおける張出縁１１１の見込み寸法とほぼ等しく形成されており、基部５１の中央には下方に延びる軸柱５７が固着されている。
【００２３】
この壁断熱パネル取付金具５は、軸柱５７を間柱２１の中央の隙間に挿入した状態で間柱２１に固定される。固定に際しては、間柱２１の背面側（屋内側）から軸柱５７の先端部にピン状の係止部材５８を嵌め込むか、軸柱５７の先端をボルト状に加工して間柱２１の背面側からナット締結する。壁断熱パネル１は、図４に示したように、この壁断熱パネル取付金具５を縦目地部分に挟み込むようにして建て込まれる。そして、壁断熱パネル取付金具５の各押え板５５を回動させて、隣接する壁断熱パネル１の縦枠材１１ａの張出縁１１１にそれぞれ係合させ、締付ビス５３を締め付けると、押え板５５の先端部が縦枠材１１ａを間柱２１側に押圧する。これにより、間柱２１の表面に貼着された気密テープ４が壁断熱パネル１との間に圧縮され、間柱２１と壁断熱パネル１とが気密的に連結される。
【００２４】
図６に示す壁断熱パネル取付金具５０は、木質材からなる矩形断面の柱２２に取り付けられる形態を示したものである。この壁断熱パネル取付金具５０は、主要部分において前記図５に示したものとほぼ同じであるが、基部５１に軸柱がなく、基部５１を直接、柱２２の屋外側表面に対してビス止めできるようになっている。ビス止めを容易にするために、基部５１の底面は軸線方向に延長されて、その延長部分にビス孔５９が形成されている。
【００２５】
このような壁断熱パネル取付金具５，５０を使用することにより、押え板５５を回動させて締付ビス５３を締結するという簡単な作業で、特別な技量を必要とせずに、壁断熱パネル１を建て込むことができる。そして、壁断熱パネル１が軸組部材２に密着状態で建て込まれることにより、壁断熱パネル１の裏面（屋内側）に貼着された気密フィルム１３と軸組部材２に貼着された気密テープ４とが重なり合って、軸組部材２の屋外側に断熱・気密ラインが形成される。この断熱・気密ラインは断熱材１２の屋内側で連続するので、軸組部材２が外気の影響を受けにくくなり、壁体内結露が生じにくくなる。また、気密フィルム１３と気密テープ４との重なり幅にも十分な余裕があるので、経年によって壁断熱パネル１や気密テープ４が収縮した場合でも、良好な気密性が保持される。
【００２６】
壁断熱パネル１の縦目地部分は、壁断熱パネル取付金具５を挟み込んでいるために、若干の隙間が生じる。そこで、図４に示したように、この縦目地部分には発泡ウレタンその他の発泡樹脂やグラスウール等からなる断熱充填材６が現場で充填される。それぞれに張出縁１１１を備えた縦枠材１１ａは、縦目地部分を挟んで対をなすことにより屋外側に開口した溝部を形成するので、この溝部内に十分な量の断熱充填材６を充填することができる。これにより、縦目地部分においても良好な断熱性が確保される。
【００２７】
こうして、軸組部材２の屋外側に壁断熱パネル１が建て込まれたならば、図３に示すようにして、壁断熱パネル１の屋外側に外壁パネル７を建て込む。外壁パネル７の幅は、壁断熱パネル１の幅と同じモジュールで設計されている。本発明において外壁パネル７の構造や材質は特に限定されないが、基本的には、外装仕上材７１の裏面に軽量溝形鋼等からなる枠材７２を取り付けたものが好適である。
【００２８】
外壁パネル７の取り付けは、壁断熱パネル１の縦目地部分に固定した外壁パネル取付金具８を介して行われる。図７は外壁パネル取付金具８の例を示す。この外壁パネル取付金具８も、前記図５〜図６に示した壁断熱パネル取付金具５と類似の構成を有している。すなわち、基板８２に、締付ビス８３及びコイルスプリング８４を介して２枚の押え板８５，８５が回動自在に取り付けられ、各押え板８５は、互いに反対向きに約９０度の角度範囲を回動して、その先端部で外壁パネル７の枠材７２を押さえつける。
【００２９】
ただし、この外壁パネル取付金具８における基板８２は、平坦な固定板８１に固着された形態を有している。固定板８１は、縦目地部分を挟んで対をなす壁断熱パネル１の両縦枠材１１ａに跨がる板幅に形成され、各縦枠材１１ａの屋外側見付面にビス固定されるようになっている。また、固定板８１の下側には、バネ鋼板を折曲して形成されたクリップ部８７が設けられ、このクリップ部８７が対をなす縦枠材１１ａによって形成された溝部の内側に嵌め込まれるようになっている。これにより、壁断熱パネル１の縦目地に対して外壁パネル７の縦目地を容易に一致させることができる。
【００３０】
このように本発明の外断熱壁構造及び壁工法では、枠内に断熱材１２を充填して裏面に気密フィルム１３を貼着した壁断熱パネル１が軸組部材２の外側に建て込まれるので、壁断熱パネル１の枠材１１の断面寸法を規格化することにより、外壁の下地材や仕上材を軸組部材２に対して共通の納まりで取り付けることができる。断熱材１２は各壁断熱パネル１の枠内に充填されるので、環境条件や建物部位によって断熱材１２の厚みが変化する場合でも、壁厚を一定に揃えることができる。なお、図４中に符号２３で示した部分は空気層となる。
【００３１】
また、本発明の外断熱壁構造及び壁工法では、軸組部材２の表面に貼着された気密テープ４と、壁断熱パネル１の裏面に貼着された気密フィルム１３とが重なり合うようにして壁断熱パネル１が建て込まれるので、連続した断熱・気密ラインが形成されるとともに、その気密性を長期的に保持することができる。
【００３２】
また、本発明の外断熱壁構造及び壁工法では、壁断熱パネル１が縦目地部分に配した壁断熱パネル取付金具５を介して軸組部材２に取り付けられ、さらに、外壁パネル７も類似の構造を有する外壁パネル取付金具８を介して壁断熱パネル１の枠材１１に取り付けられるので、特別や技量を必要とすることなく、簡単な作業で効率的に施工することができる。壁断熱パネル取付金具５と外壁パネル取付金具８との間は現場充填の断熱充填材６で分断されるので、壁を貫通する金属部分はなく、したがって冷橋も生じない。これにより、壁体内での結露やカビの発生を効果的に防ぐことができ、建物の耐久性能も向上する。また、このような取付金具を利用することにより、増改築等に際しても各部材を破壊することなく容易に取り外すことが可能になり、リサイクル性が向上する。
【００３３】
【発明の効果】
本発明の外断熱壁構造及び壁工法は、枠内に断熱材を充填して裏面に気密フィルムを貼着した壁断熱パネルが、軸組部材の外側に建て込まれて断熱・気密ラインを形成するように構成される。したがって、壁断熱パネルの枠材の断面寸法を規格化することにより、断熱材の厚みが変化しても、外壁の下地材や仕上材を軸組部材に対して共通の納まりで取り付けることができる。
【００３４】
また、本発明の外断熱壁構造及び壁工法では、軸組部材の表面に貼着された気密テープと、壁断熱パネルの裏面に貼着された気密フィルムとが、十分な幅をもって重なり合うので、断熱・気密ラインの連続性が良好に確保されるとともに、それを長期的にも保持することができる。
【００３５】
また、本発明の外断熱壁構造及び壁工法では、壁断熱パネルが縦目地部分に配した壁断熱パネル取付金具を介して軸組部材に取り付けられ、さらに、外壁パネルも類似の構造を有する外壁パネル取付金具を介して壁断熱パネルの枠材に取り付けられるので、特別や技量を必要とすることなく、簡単な作業で効率的に施工することができる。壁断熱パネル取付金具と外壁パネル取付金具との間に断熱充填材を充填することにより、壁を貫通する金属部分をなくして、冷橋の発生を防ぐこともできる。また、このような取付金具を利用することにより、増改築等に際しても各部材のリサイクルが容易になる。
【００３６】
そして、本発明の壁断熱パネルによれば、前記のような外断熱壁構造及び壁工法を好適に実施することができる。
【図面の簡単な説明】
【図１】本発明の壁断熱パネルの基本的な構成を示す分解斜視図である。
【図２】本発明の外断熱壁構造及び壁工法（前半部分）の基本的構成を示す部分斜視図である。
【図３】本発明の外断熱壁構造及び壁工法（後半部分）の基本的構成を示す部分斜視図である。
【図４】図２〜図３の外断熱壁構造における壁断熱パネルの縦目地部分の詳細を示す部分断面図である。
【図５】軽量鉄骨軸組建物に適した壁断熱パネル取付金具の詳細を示す図であり、（ａ）は上面図、（ｂ）は側面図である。
【図６】木造軸組建物に適した壁断熱パネル取付金具の詳細を示す図であり、（ａ）は上面図、（ｂ）は側面図である。
【図７】外壁パネル取付金具の詳細を示す図であり、（ａ）は上面図、（ｂ）は側面図である。
【図８】従来の技術にかかる外断熱壁構造の基本的な構成を示す部分斜視図である。
【符号の説明】
１　　　壁断熱パネル
１１　　枠材
１１ａ　縦枠材
１１１　張出縁
１２　　断熱材
１３　　気密フィルム
２　　　軸組部材
２１　　間柱
２２　　柱
４　　　気密テープ
５　　　壁断熱パネル取付金具
５１　　基部
５２　　基板
５３　　締付ビス
５４　　コイルスプリング
５５　　押え板
６　　　断熱充填材
７　　　外壁パネル
８　　　外壁パネル取付金具
【図１】
2004092125.tif 000003
【図２】
2004092125.tif 000004
【図３】
2004092125.tif 000005
【図４】
2004092125.tif 000006
【図５】
2004092125.tif 000007
【図６】
2004092125.tif 000008
【図７】
2004092125.tif 000009
【図８】
2004092125.tif 000010